【手続補正書】
【提出日】令和3年5月20日(2021.5.20)
【手続補正１】
【補正対象書類名】特許請求の範囲
【補正対象項目名】全文
【補正方法】変更
【補正の内容】
【特許請求の範囲】
【請求項１】
通信における宛先候補を管理する管理システムであって、
前記管理システムにログインする際に用いられる識別情報と、該識別情報に関連付けられた宛先候補の名称を示す第１の名称情報と、を管理する宛先管理手段と、
前記管理システムにログインして予約した会議情報を管理する予約管理手段と、
前記管理システムにログインした状態において、前記予約された会議情報に関連付けて設定された前記第１の名称情報が該第１の名称情報とは異なる第２の名称情報に更新することによって、該更新された第２の名称情報を前記予約された会議情報と関連付けて記憶する処理手段と、
を有することを特徴とする管理システム。
【請求項２】
前記識別情報を用いて前記管理システムにログインした伝送端末において前記宛先候補を含む宛先リストを表示させるために、前記宛先候補の情報を前記伝送端末へ送信する送信手段を有する請求項１に記載の管理システム。
【請求項３】
前記送信手段は、前記識別情報を用いて前記管理システムにログインした伝送端末において前記会議情報に対応する会議の参加者の情報を表示させるために、前記会議情報に関連付けられた前記第２の名称情報を前記伝送端末へ送信する請求項２に記載の管理システム。
【請求項４】
前記送信手段によって前記伝送端末へ送信する前記第２の名称情報は、前記会議情報に対応する会議に参加している状態の他の伝送端末に関連付けられた名称情報であることを特徴とする請求項３に記載の管理システム。
【請求項５】
前記管理システムにログインした伝送端末から、会議の予約を要求する旨を示す予約要求情報を受信する受信手段を有し、
前記予約管理手段は、前記予約要求情報に含まれる会議情報を管理する請求項１乃至４の何れか一項に記載の管理システム。
【請求項６】
前記送信手段は、前記伝送端末に送信した会議情報のうち、前記伝送端末において選択された会議情報に対応する会議に関連付けられた前記第２の名称情報を前記伝送端末に送信することを特徴とする請求項２乃至４の何れか一項に記載の管理システム。
【請求項７】
前記選択された会議情報に対応する前記会議に関連付けられた前記第２の名称情報が記憶されていない場合に、前記識別情報に関連付けられた前記第１の名称情報を、前記会議情報を選択した前記伝送端末に送信することを特徴とする請求項６に記載の管理システム。
【請求項８】
前記会議情報は少なくとも会議名、開始日時及び終了日時を含むことを特徴とする請求項１乃至７の何れか一項に記載の管理システム。
【請求項９】
前記第１の名称情報および前記第２の名称情報はそれぞれ、前記伝送端末に基づく情報、又は、前記伝送端末の利用者に基づく情報であることを特徴とする請求項１乃至８の何れか一項に記載の管理システム。 
【請求項１０】
前記第１の名称情報は、前記管理システムにログインした伝送端末からの、前記第１の名称情報の登録の要求に基づいて登録された情報であることを特徴とする請求項１乃至９の何れか一項に記載の管理システム。
【請求項１１】
前記管理システムは1以上のコンピュータによって構築されていることを特徴とする請求項１乃至１０のいずれか一項に記載の管理システム。
【請求項１２】
通信における宛先候補を管理する管理システムにおいて実行される管理方法であって、
前記管理システムにログインする際に用いられる識別情報と、該識別情報に関連付けられた宛先候補の名称を示す第１の名称情報と、を管理する宛先管理ステップと、
前記管理システムにログインして予約した会議情報を管理する予約管理ステップと、
前記管理システムにログインした状態において、前記予約された会議情報に関連付けて設定された前記第１の名称情報が該第１の名称情報とは異なる第２の名称情報に更新することによって、該更新された第２の名称情報を前記予約された会議情報と関連付けて記憶する処理ステップと、
を有することを特徴とする管理方法。
【請求項１３】
通信における宛先候補を管理する管理システムに、
前記管理システムにログインする際に用いられる識別情報、該識別情報にと関連付けられた宛先候補の名称を示す第１の名称情報と、を管理する宛先管理ステップと、
前記管理システムにログインして予約した会議情報を管理する予約管理ステップと、
前記管理システムにログインした状態において、前記予約された会議情報に関連付けて設定された前記第１の名称情報が該第１の名称情報とは異なる第２の名称情報に更新することによって、該更新された第２の名称情報を前記予約された会議情報と関連付けて記憶する処理ステップと、
を実行させることを特徴とするプログラム。
【請求項１４】
通信における宛先候補を管理する管理システムと、該管理システムとネットワークを介して接続された伝送端末を有する伝送システムであって、
前記管理システムは、
前記管理システムにログインする際に用いられる識別情報と、該識別情報に関連付けられた宛先候補の名称を示す第１の名称情報と、を管理する宛先管理手段と、
前記管理システムにログインして予約した会議情報を管理する予約管理手段と、
前記管理システムにログインした状態において、前記予約された会議情報に関連付けて設定された前記第１の名称情報が該第１の名称情報とは異なる第２の名称情報に更新することによって、該更新された第２の名称情報を前記予約された会議情報と関連付けて記憶する処理手段と、
を有し、
前記伝送端末は、
前記管理システムから受信した前記第１の名称情報又は前記第２の名称情報を表示させる表示制御手段と、
を有することを特徴とする伝送システム。
【請求項１５】
前記第１の名称情報および前記第２の名称情報はそれぞれ、前記伝送端末に基づく情報、又は、前記伝送端末の利用者に基づく情報であることを特徴とする請求項１４に記載の伝送システム。
【請求項１６】
前記伝送システムはテレビ会議システムであって、前記伝送端末はテレビ会議端末であることを特徴とする請求項１４又は１５記載の伝送システム。
【請求項１７】
前記管理システムは1以上のコンピュータによって構築されていることを特徴とする請求項１４乃至１６のいずれか一項に記載の伝送システム。
【請求項１８】
通信における宛先候補を管理する管理システムと、該管理システムとネットワークを介して接続された伝送端末を有する伝送システムにおいて実行される方法であって、
前記管理システムにログインする際に用いられる識別情報と、該識別情報に関連付けられた宛先候補の名称を示す第１の名称情報と、を管理する宛先管理ステップと、
前記管理システムにログインして予約した会議情報を管理する予約管理ステップと、
前記管理システムにログインした状態において、前記予約された会議情報に関連付けて設定された前記第１の名称情報が該第１の名称情報とは異なる第２の名称情報に更新することによって、該更新された第２の名称情報を前記予約された会議情報と関連付けて記憶する処理ステップと、
前記管理システムから受信した前記第１の名称情報又は前記第２の名称情報を、前記伝送端末において表示させる表示制御ステップと、
を有することを特徴とする方法。
【手続補正２】
【補正対象書類名】明細書
【補正対象項目名】発明の名称
【補正方法】変更
【補正の内容】
【発明の名称】管理システム、管理方法、プログラム、伝送システム、及び方法
【手続補正３】
【補正対象書類名】明細書
【補正対象項目名】０００５
【補正方法】変更
【補正の内容】
【０００５】
請求項１に係る発明は、通信における宛先候補を管理する管理システムであって、管理システムにログインする際に用いられる識別情報と、該識別情報に関連付けられた宛先候補の名称を示す第１の名称情報と、を管理する宛先管理手段と、前記管理システムにログインして予約した会議情報を管理する予約管理手段と、管理システムにログインした状態において、予約された会議情報に関連付けて設定された第１の名称情報が第１の名称情報とは異なる第２の名称情報に更新することによって、更新された第２の名称情報を予約された会議情報と関連付けて記憶する処理手段と、を有することを特徴とする管理システムである。